(57)【要約】【課題】開閉装置のインターロック手段は、電動バネ方式の接地開閉器では、断路器を「開」にするとインターロックが外れ、接地開閉器が「閉」になってしまう。【解決手段】開閉の２位置を占めるＤＳレバー１１と、開閉の２位置を占めるＥＳレバー１３と、ＥＳレバー１３が「閉」の位置へ回動するのを拘束する拘束レバー１５とでインターロック手段を構成し、拘束レバー１５と、電動バネの付勢力で付勢されるＥＳレバー１３との摺動面に、ＤＳレバー１１が「開」の位置へ回動すると、拘束レバー１５が拘束しているＥＳレバー１３の拘束が外れるのを阻止するための阻止手段として、突出部１３ａ，１５ａを設けた。【選択図】　図１
2004022432.tif 000002
【特許請求の範囲】
【請求項１】
断路器の開閉と対応する２位置を占めるＤＳレバーと、接地開閉器の開閉と対応する２位置を占めると共に「閉」の状態でＤＳレバーが「閉」になる方向へ回動するのを拘束する拘束部を有するＥＳレバーと、当該ＥＳレバーが接地開閉器の「閉」と対応する位置へ回動するのを拘束する拘束位置と拘束しない開放位置との２位置を占めるとともに、拘束位置へ向って付勢され、かつ前記ＤＳレバーが「開」の位置へ回動することによって前記開放位置へ回動させられる拘束レバーとでインターロック手段を構成し、前記接地開閉器を「閉」にするための駆動方式が電動バネ方式である開閉装置において、
前記拘束レバーと、前記電動バネの付勢力で付勢されるＥＳレバーとの摺動面に、前記拘束レバーが拘束しているＥＳレバーの拘束が外れるのを阻止する阻止手段を設けたことを特徴とする開閉装置。
【請求項２】
前記阻止手段として、前記ＤＳレバーにより前記拘束レバーが前記開放位置へ押圧される際に、前記拘束レバーと前記ＥＳレバーとの摺動面に、相互に引っ掛かる突出部を夫々形成したことを特徴とする請求項１に記載の開閉装置。
【発明の詳細な説明】
【０００１】
【発明の属する技術分野】
本発明は、インターロック手段を設けた開閉装置に関する。
【０００２】
【従来の技術】
開閉装置には、回路を開閉する断路器と、回路が「開」にされた状態で断路器につながる回路の導体を接地するための接地開閉器とが設けられている。そして、断路器が「閉」の状態のときに接地開閉器が「閉」になるのを阻止し、かつ接地開閉器が「閉」の状態のときに断路器が「閉」になるのを阻止するためのインターロック手段が設けられている。
【０００３】
従来の開閉装置におけるインターロック手段の構造を図３に示す。図中、１は図示しない断路器と連動連結されたＤＳ操作軸、２はＤＳ操作軸１に固着されたＤＳレバー、３は支持軸、４は支持軸３に回動自在に支持されると共に図示しない接地開閉器に図示しないロッドを介して連結されたＥＳレバーである。図中のＤＳレバー２・ＥＳレバー４について「開」「閉」と書かれた位置が、断路器・接地開閉器の「開」「閉」状態と対応する。
【０００４】
ここで、絶縁抵抗の測定やシーケンス試験を行なう場合は，断路器および接地開閉器の双方を同時に「閉」にしなければならず、このような場合はＤＳレバーやＥＳレバーを取り外してインターロックを解除して行なうことになる。
【０００５】
しかし、インターロックを解除するための作業は時間と労力がかかるという問題がある。このため、図４のようなインターロック手段を有する開閉装置が提案されている。
【０００６】
インターロック手段について、以下に説明する。バネ１７により付勢される拘束レバー１５を図４（ｃ）の拘束位置で止めるストッパ１８が設けられている。ＥＳレバー１３には、ＥＳレバー１３が図４（ａ）に示す「閉」の位置の時にＤＳレバー１１が「閉」の方向へ回動するのを拘束する拘束部１３ａが形成されている。また、図４（ｂ）に示すように、拘束レバー１５は、ＤＳレバー１１が「開」の位置へ回動することによって、拘束レバー１５が開放位置へ押圧させられるように、位置決めされている。
【０００７】
このほか、図５に示すように拘束レバー１５を前記バネ１７の付勢力に抗して開放位置まで回動させるインターロック解除手段１９が設けられている。即ち、バネ１７の取り付け方向に沿って長いガイドスリーブ２０が設けられており、ガイドスリーブ２０に挿入する解除ロッド２１が設けられている。解除ロッド２１をガイドスリーブ２０に挿入した状態で保持できるようにするため、ガイドスリーブ２０にはめねじ部２０ａが、解除ロッド２１にはおねじ部２１ａが形成されている。
【０００８】
次に、斯かるインターロック手段７の作用を説明する。図４（ｂ）に示すようにＤＳレバー１１・ＥＳレバー１３が共に「開」の状態の時には、ＤＳレバー１１が開放位置まで動いて拘束レバー１５を押圧保持しているので、○印で示すようにいずれのレバーも「閉」の方向へ回動させることができる。図４（ａ）に示すようにＤＳレバー１１が「開」の状態の時には、ＤＳレバー１１が開放位置まで動いて拘束レバー１５を押圧保持しているので、ＥＳレバー１３は開放されていて、「閉」から「開」の状態まで動かせる一方、×印で示すように、拘束部１３ａの存在により、ＤＳレバー１１はインターロックされて「閉」の位置へ回動させることはできない。図４（ｃ）に示すようにＤＳレバー１１が「閉」の状態の時には、バネ１７の作用により拘束レバー１５が拘束位置を占めるので、×印で示すように、ＥＳレバー１３は拘束レバー１５によりインターロックされて「閉」の位置へ回動させることはできない。
【０００９】
図５（ａ）に示すように、図４（ｃ）と同じ状態であってＥＳレバー１３がインターロックされた状態で、図５（ｂ）のようにガイドスリーブ２０に解除ロッド２１を挿入し、拘束レバー１５の上部を右方へ押した状態で、解除ロッド２１をガイドスリーブ２０にねじ込む。すると、拘束レバー１５はバネ１７の付勢力に抗して時計方向へ回動して開放位置を占め、インターロックが解除される。従って、ＤＳレバー１１が「閉」の状態で、ＥＳレバー１３を自由に「開閉」させることができる。
【００１０】
【発明が解決しようとする課題】
ところが、接地開閉器の駆動方式が「電動モータにより電動バネを蓄勢し当該バネの放勢力で投入する電動バネ方式」である場合には、接地開閉器を「閉」の方向へ回動させるための電動バネの付勢力が残留した状態が保持され、このとき断路器が「開」の操作をされると、図４（ｃ）のＤＳレバー１１が「開」の方向へ回動しようとして、図６（ａ）のように拘束レバー１５を時計方向へ強制的に回動させることになる。
【００１１】
このため、電動バネにより付勢されるＥＳレバー１３の側面に対し、拘束レバー１５の外周面が摺動し、拘束レバー１５によるＥＳレバー１３の拘束が外れると、前記のように電動バネの付勢力が加わった状態のＥＳレバー１３が図６（ｂ）のように時計方向へ回動し、接地開閉器が「閉」になってしまうという問題がある。
【００１２】
そこで本発明は、斯かる課題を解決した開閉装置を提供することを目的とする。
【００１３】
【課題を解決するための手段】
斯かる目的を達成するための請求項１に係る発明の構成は、断路器の開閉と対応する２位置を占めるＤＳレバーと、接地開閉器の開閉と対応する２位置を占めると共に「閉」の状態でＤＳレバーが「閉」になる方向へ回動するのを拘束する拘束部を有するＥＳレバーと、当該ＥＳレバーが接地開閉器の「閉」と対応する位置へ回動するのを拘束する拘束位置と拘束しない開放位置との２位置を占めるとともに、拘束位置へ向って付勢され、かつ前記ＤＳレバーが「開」の位置へ回動することによって前記開放位置へ回動させられる拘束レバーとでインターロック手段を構成し、前記接地開閉器を「閉」にするための駆動方式が電動バネ方式である開閉装置において、前記拘束レバーと、前記電動バネの付勢力で付勢されるＥＳレバーとの摺動面に、前記拘束レバーが拘束しているＥＳレバーの拘束が外れるのを阻止する阻止手段を設けたことを特徴とする。
【００１４】
斯かる開閉装置では、ＤＳレバーが「閉」の状態の時には拘束レバーが拘束位置を占めるので、ＥＳレバーは「閉」の方向へ回動させることはできない。接地開閉器の駆動方式が電動バネ方式なので、一旦、接地開閉器を「閉」にしようとすると、ＥＳレバーには電動バネにより付勢力が加わりつづける。この状態のままで断路器を「閉」から「開」にしようとすると、ＤＳレバーが拘束レバーを押圧し、拘束レバーが強制的に回動させられてＥＳレバーが拘束レバーの拘束から外れ、付勢された状態にあるＥＳレバーが回動して接地開閉器が「閉」になってしまう。しかし、阻止手段の作用により、拘束レバーの回動が阻止され、ＥＳレバーの拘束の外れが防止される。
【００１５】
請求項２に係る発明の構成は、前記阻止手段として、前記ＤＳレバーにより前記拘束レバーが前記開放位置へ押圧される際に、前記拘束レバーと前記ＥＳレバーとの摺動面に、相互に引っ掛かる突出部を夫々形成したことを特徴とする。
【００１６】
斯かる開閉装置では、一方の突出部に他方の突出部が引っ掛かり、ＥＳレバーに対する拘束レバーの回動が阻止され、ＥＳレバーの拘束の外れが防止される。
【００１７】
【発明の実施の形態】
以下、本発明による開閉装置の実施の形態を説明する。
【００１８】
図１（ａ）のように、断路器の開閉と対応して「開」「閉」の２位置を占めるＤＳレバー１１が軸１２を介して回動自在に設けられている。また、接地開閉器の開閉と対応して「開」「閉」の２位置を占めるＥＳレバー１３が軸１４を介して回動自在に設けられている。そして、当該ＥＳレバー１３が接地開閉器の「閉」と対応する位置へ回動するのを拘束する拘束位置と、拘束しない開放位置との２位置を占める拘束レバー１５が、軸１６を介して回動自在に設けられている。拘束レバー１５はバネ（付勢手段）１７により拘束位置へ向って付勢されている。１８は拘束レバー１５のストッパである。
【００１９】
この発明では、接地開閉器の駆動方式が電動バネ方式であるということが前提になっている。電動バネ方式とは、電動モータ等の回転力で電動バネを蓄勢し当該バネの放勢力で開閉部分を駆動して投入する方式をいう。
【００２０】
本発明は、前記拘束レバー１５と、前記電動バネの放勢力で付勢されるＥＳレバー１３との摺動面に、前記拘束レバー１５が拘束しているＥＳレバー１３の拘束が外れるのを阻止する阻止手段として、図１（ｂ）に示すように、前記ＤＳレバー１１により前記拘束レバー１５が前記開放位置へ押圧される際に相互に引っ掛かる突出部１３ａ，１５ａを、夫々形成したものである。
【００２１】
斯かる開閉装置の作用を、図２に基づいて説明する。図１（ａ）の状態は図４（ｃ）の状態と同じであり、ＤＳレバー１１が「閉」の状態の時には、バネ１７の作用により拘束レバー１５が拘束位置を占めるので、×印で示すように、ＥＳレバー１３はインターロックされて「閉」の方向へ回動させることはできない。
【００２２】
前記のように、この発明では接地開閉器の駆動方式が電動バネ方式なので、図１（ａ）のＤＳレバー１１が「閉」の状態の時に接地開閉器を「閉」にしようとすると、ＥＳレバー１３には図示しない電動バネにより時計方向の付勢力が加わりつづける。
【００２３】
この状態で断路器を「閉」から「開」にしようとすると、図２に示すようにＤＳレバー１１が反時計方向へ回動するために拘束レバー１５が時計方向へ押圧される。このため、図２に示す状態から更に拘束レバー１５が時計方向へ回動させられるとＥＳレバー１３が拘束レバー１５から外れ、時計方向へ付勢された状態にあるＥＳレバー１３が回動して接地開閉器が「閉」になってしまう。
【００２４】
しかし、ＥＳレバー１３が付勢された状態で拘束レバー１５が時計方向へ回動させられても、図１（ｂ）のようにＥＳレバー１３の突出部１３ａに、拘束レバー１５の突出部１５ａが干渉し、拘束レバー１５の回動が阻止される。このため、ＥＳレバー１３が拘束レバー１５から外れて回動して接地開閉器が「閉」になってしまうようなことはない。断路器を「閉」から「開」にしようとしているときにＤＳレバー１１の反時計方向への回動がロックされることになるので衝撃があり、異常操作がなされたことを認識することができる。
【００２５】
【発明の効果】
以上の説明からわかるように、請求項１〜２に係る開閉装置によれば、接地開閉器の駆動方式が電動バネ方式である開閉装置において、拘束レバーと、ＥＳレバーとの摺動面に、拘束レバーが拘束しているＥＳレバーの拘束が外れるのを阻止する阻止手段を設けたので、断路器が「閉」の状態において誤って接地開閉器を「閉」操作した後に断路器を「開」操作した際に、ＤＳレバーが拘束レバーを押圧して強制的に回動させ、蓄勢されている電動バネにより接地開閉器が「閉」の方向へ回動してしまうという従来の問題が解消される。
【図面の簡単な説明】
【図１】本発明による開閉装置におけるインターロック手段に係り、（ａ）はＤＳレバーが「閉」のときにＥＳレバーを「閉」にしようとしてもインターロックされる状態を示す構成図、（ｂ）は要部の構成図。
【図２】本発明による開閉装置におけるインターロック手段に係り、蓄勢されている電動バネによりＥＳレバーを「閉」にしようとした状態でＤＳレバーを「開」にしようとしても阻止手段により拘束レバーが回動しないように阻止された状態を示す構成図。
【図３】従来の開閉装置におけるインターロック手段の説明図。
【図４】提案された開閉装置におけるインターロック手段に係り、（ａ）はＥＳレバーのみが「閉」の位置を占める状態を示す構成図、（ｂ）はＤＳレバー・ＥＳレバーの双方が「開」の位置を占める状態を示す構成図、（ｃ）はＤＳレバーのみが「閉」でＥＳレバーが「開」の位置を占める状態を示す構成図。
【図５】提案された開閉装置におけるインターロック解除手段に係り、（ａ）はインターロック解除前の状態を示す構成図、（ｂ）はインターロック解除後の状態を示す構成図、
【図６】提案された開閉装置におけるインターロック手段の課題に係り、（ａ）はＤＳレバーのみが「閉」でＥＳレバーが「開」の状態からＤＳレバーが「開」になる直前の状態を示す構成図、（ｂ）はＤＳレバーが「開」になって拘束レバーが開放位置を占め、ＥＳレバーが「閉」になってしまった状態を示す構成図。
【符号の説明】
１１…ＤＳレバー
１３…ＥＳレバー
１５…拘束レバー
１７…バネ
１３ａ，１５ａ…突出部
【図１】
2004022432.tif 000003
【図２】
2004022432.tif 000004
【図３】
2004022432.tif 000005
【図４】
2004022432.tif 000006
【図５】
2004022432.tif 000007
【図６】
2004022432.tif 000008